(57)【要約】【課題】携帯や使用に便宜でしかも打球のスイング動作時に頭の揺れ乃至は動きをプレイヤー自身が認識してヘッドアップなどの癖を修正することのできるゴルフスイング補正具を提供することを目的とする。【解決手段】  プレイヤーが一端部側を咥えるように形成した薄肉の棒状体からなる第一の補正具および／もしくはプレイヤーが被るキヤップの適所に一端部側を着脱自在材に装着するようにした軽量の棒状体からなる第二の補正具を備え、これらの棒状体の他端部側をプレイヤーがゴルフクラブをスイングする際における視線方向誘導部として構成する。このゴルフスイング補正具では、プレイヤー自身の視線を打撃しようとするボールに常に誘導してスイングもしくは練習をできるので、正しいスイングを容易にかつ確実に会得することができる。【選択図】  図１
2005305052.tif 000002
【特許請求の範囲】
【請求項１】
プレイヤーが一端部側を咥えるように形成した薄肉の棒状体からなる第一の補正具および／もしくはプレイヤーが被るキヤップの適所に一端部側を着脱自在材に装着するようにした軽量の棒状体からなる第二の補正具を備え、これらの棒状体の他端部側をプレイヤーがゴルフクラブをスイングする際における視線方向誘導部として構成することを特徴とするゴルフスイング補正具。
【請求項２】
薄肉の棒状体は、その一端部側にプレイヤーが上下の前歯に咥えて保持するための咥持部を形成するとともにこの咥持部に隣接して薄肉の棒状体の少なくとも上下面側に若干膨出する形状に設定した鍔部を設け、さらに鍔部に視線方向誘導部を延設することを特徴とする請求項１に記載のゴルフスイング補正具。
【請求項３】
薄肉の棒状体は、竹材、木材、合成樹脂材などのうちいずれかの素材を使用して形成することからなる請求項１または請求項２に記載のゴルフスイング補正具。
【請求項４】
鍔部を別体として形成することからなる請求項２または請求項３に記載のゴルフスイング補正具。
【請求項５】
視線方向誘導部の先端に誘導マークを設けることを特徴とする請求項１〜請求項４のいずれかに記載のゴルフスイング補正具。
【請求項６】
薄肉の棒状体に、防菌、防臭加工を施すことからなる請求項１〜請求項５のいずれかに記載のゴルフスイング補正具。
【発明の詳細な説明】
【技術分野】
【０００１】  この発明は、ゴルフスイング補正具に関するものであり、一層詳細には、ゴルフボールを打撃する際における各種スイングを適正に行うことができるスイング補正具に関するものである。
【背景技術】
【０００２】  多数の老若男女が愛好しているゴルフにおいては、目標地点を狙ってボールを飛ばしたり転がすための動作として、プレイヤーがゴルフクラブをスイングしてクラブヘッドをボールに打撃（インパクト）することが基本となっている。
そして、このスイングに際しては、ボールへの打撃前のアドレス位置から打撃後のフォロースルーまでの間、プレイヤーはボールから目を離さない姿勢を保持することが重要であることが知られている。
【発明の開示】
【発明が解決しようとする課題】
【０００３】  ところで、初心者がゴルフクラブをスイングする場合は、打撃の前後に頭部が揺れるなどして、目線（視線）がボールから離れてしまうことが多く、これが原因でボールが自分の意図する方向から大きく外れた方向に飛んだり転がってしまうことになる。
通常、ヘッドアップと呼ばれているスイング時における頭の揺れ乃至動きはこのような悪い結果を生じるため、頭部はできるだけ静止してあまり動かないようにするのが望ましいのであるが、プレイヤー自身は頭部が揺れたり動いていることを認識するのが難しく、従って、ヘッドアップを修正することがゴルフ上達のための大きなテーマとされている。【０００４】  このような事情から、例えば、特許文献１のように、中央部材の両側に環状のゴムバンドを連設し、このゴムバンドに左右の腕を肘の上まで挿入して、プレイヤーのスイング中の動きを規制してその動きが好ましくないときには中央部材が音を発するように構成した練習具、あるいは、特許文献２のように、プレイヤーの脇にあてがうパッドの両端に締結帯を延設してこれら締結帯を腕の上部または肩に着脱自在に取り付けるように構成した練習具などが提案され、需要者の便宜に供されている。【０００５】
【特許文献１】  特開平６−３０４２８１号  公報
【０００６】
【特許文献２】  特開平８−３３６６２８号公報
【０００７】  しかるに、この種の練習具は、練習具自体が嵩張るため持ち運びや保守管理も面倒であるだけでなく、スイングを繰り返し練習して正しいと思われる姿勢や動作を体得したとしても練習具を外した時やコースでの実戦に際しては、練習具による姿勢や動作の規制がなくなるため十分な効果を期待することができないなどの問題があった。
【課題を解決するための手段】
【０００８】  本発明は、このような問題に鑑みて創案したものであり、携帯や使用に便宜であり、しかも打球のスイング動作時に頭の揺れ乃至は動きをプレイヤー自身に認識させてヘッドアップやヘッドアップに類する癖を修正することのできるスイング補正具を提供することを目的とするものである。【０００９】  すなわち、本発明に係るゴルフスイング補正具は、プレイヤーが一端部側を咥えるように形成した薄肉の棒状体からなる第一の補正具および／もしくはプレイヤーが被るキヤップの適所に一端部側を着脱自在材に装着するようにした軽量の棒状体からなる第二の補正具を備え、これらの棒状体の他端部側をプレイヤーがゴルフクラブをスイングする際における視線方向誘導部として構成することを特徴とするものである。【００１０】  この場合、薄肉の棒状体は、その一端部側にプレイヤーが上下の前歯に咥えて保持するための咥持部を形成するとともにこの咥持部に隣接して薄肉の棒状体の少なくとも上下面側に若干膨出する形状に設定した鍔部を設け、さらに鍔部に視線方向誘導部を延設することにより構成する。【００１１】  また、これらの棒状体としては、竹材、木材、合成樹脂材など種々の素材を使用することができるが、竹材で形成するのが好ましい。【００１２】  さらに、鍔部を別体として形成したり、視線方向誘導部の先端に誘導マークを設けることもでき、さらにまた、プレイヤーが咥えて使用する薄肉の棒状体に抗菌、防臭加工を施こせば、常に清浄に保持すことができ好適である。
【発明の効果】
【００１３】  本発明に係るゴルスイング補正具によれば以下のような効果を奏するものである。
（１）構造が簡単で安価に製造できるだけでなく、持ち運びや管理も簡便に行うことができる。
（２）従来の練習具のようにプレイヤーの姿勢や動作を規制する類のものではなく、プレイヤーが自分の視線（方向）を意識しながらスイングを補正ないしは練習できるので、正しい姿勢や動作を容易に会得することができ、従って、コースでの実戦に際してもヘッドアップなどの好ましくない動作を可及的に阻止することができる。
（３）所望に応じて第一の補正具および／もしくは第二の補正具を適宜選択して使用することができるので、初級者から上級者まで汎用することができる。
（４）抗菌、防臭加工処理さらには芳香加工を施したので、清潔に保持できしかも爽快感をもって使用することができる。
【発明を実施するための最良の形態】
【００１４】  次に、本発明に係るゴルスイング補正具の最良の実施の形態を例示し、以下詳細に説明する。
図１において、本発明に係るゴルスイング補正具１０は、プレイヤーＰが一端部側を咥えるように形成した薄肉の棒状体からなる第一の補正具１２および／もしくはプレイヤーが被るキヤップの適所に一端部側を着脱自在材に装着するようにした軽量の棒状体からなる第二の補正具１４を備えており、これらの棒状体の他端部側をプレイヤーがゴルフクラブをスイングする際における視線方向誘導部１６とすることを基本構成とするものである。【００１５】  この場合、第一の補正具１２としての薄肉の棒状体１２ａは、図２に示すように、プレイヤーＰが上下の前歯で咥えた時に歯に違和感のない、例えば、硬質の木材やプラスチック（合成樹脂材）、竹材などを素材とするが、本実施の形態においては、咥えた時に刺激の少ない竹材を素材として形成し、幅が約５ｍｍ程度で、長さが約１０ｃｍ〜２３ｃｍ程度の寸法に設定する。
そして、この棒状体１２ａの一端部側には、プレイヤーが上下の前歯で咥えるための咥持部１８を形成するとともにこの咥持部１８に隣接しかつ棒状体１２ａの上下面側に若干膨出する形状に設定した鍔部２０を形成し、さらにこの鍔部２０に連続して視線方向誘導部１６を設ける。【００１６】  また、咥持部１８は、プレイヤーが上下の前歯で咥えた際に、唾液が滴下したり咥えているのが苦しくなく、しかも前歯で咥える力が強すぎると折れる程度の厚み寸法、例えば、１ｍｍ〜２ｍｍ程度に設定するとともにその長さ寸法はプレイヤーの口蓋の形状や大きさに応じて２ｃｍ〜５ｃｍ程度に設定するのが好ましい。【００１７】  鍔部２０は、本実施の形態においては棒状体１２ａの上下面側を若干膨出させることにより形成したが、図３に示すように、棒状体１２ａの上面側と下面側をその長手方向に沿って僅かにずらして膨出させることにより鍔部２０を形成し、両膨出部分２０ａ、２０ｂの離間部Ｓを上下の前歯で噛み合わせて咥えるように構成すれば、隙間がほとんど空くことがなく、しかも前歯をくいしばらなくても棒状体１２ａを確実に保持することができる。
なお、前述の実施の形態においては鍔部２０を棒状体１２ａと一体に形成したが、棒状体１２ａと同質の竹材やそれに近い素材を使用して別体の鍔部材（図示せず）を形成し、この鍔部材を棒状体１２ａの所定位置に挿着する構成を採用することもできることは言うまでもない。【００１８】  棒状体１２ａの他端部側に設けた視線方向誘導部１８の長さ寸法は、後述するように、プレイヤーが上下の前歯で咥持部１８を咥えてゴルフクラブを自然に構えた際に、その先端がボールＢを指し示すような寸法に設定するが、概ね、初心者においては１５ｃｍ〜１８ｃｍ程度、中級者は９ｃｍ〜１２ｃｍ程度、さらに上級者は６ｃｍ〜９ｃｍ程度に設定するのが好ましく、また、本実施の形態の如く、誘導部１８先端には適宜の着色等を施した誘導マーク２２を設けるのが好適である。【００１９】  なお、棒状体１２ａは、プレイヤーが上下の前歯で咥持部１４を咥えるので使用のたびに適宜洗浄して使用するが、人体に無害でしかもそれ自体が抗菌ないしは防臭効果を有する、例えば、金、銀、プラチナ、チタン、銅などの無機金属を解離（イオン化）した液体に浸漬処理すれば、これらの金属イオンが棒状体１２ａ内部まで浸透して好適な抗菌防臭加工を施すことができ、さらには、必要に応じて、ペパーミントなどの芳香材を適宜付加して併用すれば、口臭も生ぜず爽快な気分でスイングすることが可能となるものである。【００２０】  一方、第二の補正具１４としての軽量の棒状体１４ａは、第一の補正具１２（棒状体１２ａ）と同様に、竹材、木材、合成樹脂材など種々の素材を選択することができるが、本実施の形態においては、前記棒状体１２ａと同様の竹材で形成する。そして、この棒状体１４ａの一端部側にはプレイヤーが被るキヤップの鍔に着脱するためのクリップ２４を固着し、他端部側に設けた視線方向誘導部１６には前記棒状体１２ａと同様に誘導マーク２２を配設する。なお、軽量の棒状体１４ａの長さ寸法は、前記第一の補正具１２（棒状体１２ａ）と同様かもしくは少し短い寸法に設定するのが好ましい。【００２１】  このように構成した本発明に係るゴルスイング補正具１０は、通常は、図１および図４に示すように、プレイヤーＰが、第一の補正具１２（棒状体１２ａ）の一端部側に設けた咥持部１４を上下の前歯で咥えるとともに、第二の補正具１４（棒状体１４ａ）をクリップ２４によってキヤップの鍔に取着して使用するが、中級者および上級者は第二の補正具１４を省略して第一の補正具１２のみを使用してもよく、必要に応じて適宜選択して使用することができるものである。
なお、使用に際し、第一の補正具１２（棒状体１２ａ）は上下の前歯を鍔部２０の端部に当接するとともに咥持部１８の上面を上顎の内側に当接した状態で前記前歯で挟みつけ舌の上面を咥持部１８の下面に当接して固定するが、この咥持部１８は唾液が滴下したり咥えていいても苦しくない程度の厚みに設定してあるのでスイングの練習を軽快に行うことができる。【００２２】  そして、プレイヤーＰはゴルフクラブＡのグリップを把持してクラブヘッドＣのフェースをボールＢにアドレスすると、プレイヤーＰの視線は第一の補正具１２（棒状体１２ａ）の誘導部１６先端（の誘導マーク２２）と第二の補正具１４（棒状体１４ａ）の誘導部１６先端（の誘導マーク２２）との間にボールＢを自然に捉えることができる（図４ａ参照）。
次に、プレイヤーＰは視線でボールＢを捉えたまま（ボールＢを視野にいれたまま）ゴルフクラブＡをゆっくりとテークバックしたのち、手の角度を変えないで反転してクラブヘッドＣが第一の補正具１２（棒状体１２ａ）の誘導マーク２２と第二の補正具１４（棒状体１４ａ）の誘導マーク２２との間を通過するようにまっすぐ振り抜いて前記クラブヘッドＣ（フェース）でボールＢを打撃すればよいのであるが（図４ｂ参照）、この際、自分の視線でボールＢを捉えたままスイング動作をするので頭の揺れ乃至は動きを可及的に抑えることができ、しかも、クラブヘッドＣのフェースをボールＢの飛ぶ（転がる）方向に直交させて打撃できるので、自分の意図する方向から大きく外れた方向にボールが飛んだり転がってしまうことはなく、従って、正しいスイングを容易に会得することができるものである。【００２３】  先の説明においては、本発明に係るスイング補正具１０の一般的な使用につき説明したが、ドライバー、ウッド、アイアン、パター等どのような種類のゴルフクラブによる練習にも適宜応用できることは言うまでもない。
さらに、ゴルフのスイング補正だけでなく、治具を使用してボールを打撃する、例えば、ゲートボール、ベースボールなどにおけるスイング補正具としても好適に使用することができ、本発明の精神を逸脱しない範囲内において種々の設計変更をなし得ることは勿論である。
【図面の簡単な説明】
【００２４】
【図１】本発明に係るゴルフスイング補正具の最良の実施の形態とこれを使用するプレイヤー（初心者）との関係を示す説明図であって、ａは斜視図、ｂは正面図である。
【図２】図１に示すゴルフスイング補正具における第一の補正具の一部省略説明図であって、ａは平面図、ｂは側面図である。
【図３】図１に示すゴルフスイング補正具における第一の補正具における鍔部の別の実施の形態を示す要部断面説明図である。
【図４】図１に示すゴルフスイング補正具の使用状態の説明図であって、ａは側面図、ｂは正面図である。
【符号の説明】
【００２５】１０：    ゴルフスイング補正具、
１２：    第一の補正具（棒状体１２ａ）
１４：    第二の補正具（棒状体１４ａ）
１６：    視線方向誘導部、
１８：    咥持部、
２０：    鍔部、
２２：    誘導マーク、
２４：    クリップ、
【図１】
2005305052.tif 000003
【図２】
2005305052.tif 000004
【図３】
2005305052.tif 000005
【図４】
2005305052.tif 000006